(57)【要約】【課題】コンデンサ用の電極の実装位置が抵抗部材の長さ方向に沿ってずれたことの影響が、コンデンサおよび抵抗部材の並列回路を含む回路の電気的特性に及ぶのを最小限に抑制する。【解決手段】抵抗部材４と、一側電極１１および他側電極１２で形成されるコンデンサ３Ａとで構成される並列回路についての実装構造であって、一側電極１１は長さ方向Ａと平行に配置される第１側板部１１ａ，１１ｂを有し、他側電極１２は長さ方向Ａと平行な第２側板部１２ａ，１２ｂを有し、抵抗部材４は、側板部１１ａ，１１ｂに対応する抵抗体２２および側板部１２ａ，１２ｂに対応する抵抗体２３が長さ方向Ａに沿って分離して配置され、かつ配線２６を介して直列接続されて構成され、抵抗体２２が対応する側板部１１ａ，１１ｂと直接対向して位置し、かつ抵抗体２３が対応する側板部１２ａ，１２ｂと直接対向して位置するように実装されている。【選択図】図２
2020101518.tif 000002
【特許請求の範囲】
【請求項１】
抵抗部材と、当該抵抗部材の一方の端子に接続された第１電極および当該抵抗部材の他方の端子に接続された第２電極で形成されるコンデンサとで構成される並列回路におけるコンデンサおよび抵抗部材の実装構造であって、
前記第１電極は、前記抵抗部材の長さ方向と平行な状態で配置される第１電極形成部を有して構成され、
前記第２電極は、前記抵抗部材の長さ方向と平行な状態で配置される第２電極形成部を有して構成され、
前記抵抗部材は、前記第１電極形成部および前記第２電極形成部に一対一で対応する第１抵抗体および第２抵抗体が前記長さ方向に沿って分離して配設され、かつ配線を介して直列接続されて構成されると共に、当該第１抵抗体が対応する前記第１電極形成部と直接対向して位置し、かつ当該第２抵抗体が対応する前記第２電極形成部と直接対向して位置するように実装されたコンデンサおよび抵抗部材の実装構造。
【請求項２】
抵抗部材と、当該抵抗部材の一方の端子に接続された第１電極および当該抵抗部材の他方の端子に接続された第２電極で形成されるコンデンサとで構成される並列回路におけるコンデンサおよび抵抗部材の実装構造であって、
前記第１電極および前記第２電極の少なくとも一方は、前記抵抗部材の長さ方向と平行な状態で、かつ当該長さ方向に沿って並設されたｎ個（ｎは２以上の整数）の電極形成部を有して構成され、
前記抵抗部材は、前記ｎ個の電極形成部に一対一で対応するｎ個の抵抗体が前記長さ方向に沿って分離して配設され、かつ配線を介して直列接続されて構成されると共に、当該ｎ個の抵抗体が対応する前記電極形成部と直接対向して位置するように実装されたコンデンサおよび抵抗部材の実装構造。
【請求項３】
前記抵抗部材は、絶縁材料で形成された１つの基体を有して構成され、
各前記抵抗体は、前記長さ方向としての前記基体の長さ方向に沿って当該基体の表面に形成されている請求項１または２記載のコンデンサおよび抵抗部材の実装構造。
【請求項４】
前記第１電極は、それぞれが前記第１電極形成部として機能する一対の第１側板部と、当該第１側板部相互間に掛け渡される第１連結板部とで回路基板上に平面視略コ字状に配置され、
前記第２電極は、それぞれが前記第２電極形成部として機能する一対の第２側板部と、当該第２側板部相互間に掛け渡される第２連結板部とで前記回路基板上に前記第１電極とは逆向きの平面視略コ字状に配置され、
前記抵抗部材は、前記第１抵抗体の配設部位が前記一対の第１側板部の内方に位置し、かつ前記第２抵抗体の配設部位が前記一対の第２側板部の内方に位置する状態で前記回路基板上に配置される請求項１記載のコンデンサおよび抵抗部材の実装構造。
【請求項５】
前記第１電極は、それぞれが前記第１電極形成部として機能する一対の第１側板部と、当該第１側板部相互間に掛け渡された第１連結板部とでコ字状に形成されると共に、前記一対の第１側板部を脚部として回路基板上に起立した状態で配置され、
前記第２電極は、それぞれが前記第２電極形成部として機能する一対の第２側板部と、当該第２側板部相互間に掛け渡された第２連結板部とでコ字状に形成されると共に、前記一対の第２側板部を脚部として前記回路基板上に起立した状態で配置され、
前記抵抗部材は、前記第１抵抗体の配設部位が前記一対の第１側板部の内方に位置し、かつ前記第２抵抗体の配設部位が前記一対の第２側板部の内方に位置する状態で前記回路基板上に配置される請求項１記載のコンデンサおよび抵抗部材の実装構造。
【請求項６】
入力電圧を入力するための電圧入力部を備え、当該電圧入力部が請求項１から５のいずれかに記載のコンデンサおよび抵抗部材の実装構造で実装された前記抵抗部材と前記コンデンサとで構成される前記並列回路で構成されている入力ユニット。
【請求項７】
請求項６記載の入力ユニットを備え、被測定量を測定する測定装置。
【発明の詳細な説明】
【技術分野】
【０００１】
本発明は、互いに並列接続されるコンデンサおよび抵抗部材の実装構造、この実装構造を備えた入力ユニット、並びにこの入力ユニットを備えた測定装置に関するものである。
【背景技術】
【０００２】
この種のコンデンサおよび抵抗部材の実装構造の一例として、下記の特許文献１に開示されたコンデンサおよび抵抗部材の実装構造を本願出願人は既に提案している。この提案された実装構造は、電圧測定機器における電圧入力抵抗部を構成するコンデンサおよび抵抗部材（入力抵抗）の回路基板（プリント基板）への実装構造である。図１２に示すように、このコンデンサ５１および抵抗部材としての抵抗６１は、回路基板７１に実装される（取り付けられる）ことで、回路基板７１を介して（具体的には、回路基板７１に形成された不図示のスルーホールや配線パターンなどの導体部を介して）互いに並列接続される。
【０００３】
このコンデンサ５１は、間隔を空けて回路基板７１に実装された一側電極５２と他側電極５３（いずれも導電性金属材で形成された電極）とを備えて、両電極５２，５３間に形成される静電容量で構成されるコンデンサであり、空気を誘電体とするコンデンサであることから、任意の耐圧（数ｋＶのような高耐圧を含む）で、かつ安定した高精度の静電容量値に構成することが可能となっている。
【０００４】
具体的には、一側電極５２は、一対の側板部５２ａ，５２ｂと、これらの側板部５２ａ，５２ｂ相互間に架け渡される連結板部５２ｃとで構成されて、回路基板７１上に平面視略コ字状に実装（配置）される。他側電極５３は、一側電極５２の一対の側板部５２ａ，５２ｂの外方に平行に配置される一対の側板部５３ａ，５３ｂと、これらの側板部５３ａ，５３ｂ相互間に架け渡される連結板部５３ｃとで構成されて、回路基板７１上に一側電極５２とはその向きを逆に組み合わせて平面視略コ字状に実装（配置）される。
【０００５】
また、コンデンサ５１は、一側電極５２における各側板部５２ａ，５２ｂが、他側電極５３における各側板部５３ａ，５３ｂのうちの対向する側板部とは重なり合わない非対向面を一部に確保し得る位置関係のもとで回路基板７１に実装（配置）されることで形成されている。具体的には、図１２に示すように、側板部５２ａ，５２ｂには、他側電極５３における側板部５３ａ，５３ｂと重なり合わない非対向面（同図中の領域ＡＲ１の部位）と、側板部５３ａ，５３ｂと重なり合う対向面（同図中の領域ＡＲ２の部位）とがそれぞれ確保されている。また、側板部５３ａ，５３ｂにも、一側電極５２における各側板部５２ａ，５２ｂと重なり合わない非対向面（同図中の領域ＡＲ３の部位）と、側板部５２ａ，５２ｂと重なり合う対向面（側板部５２ａ，５２ｂにおける領域ＡＲ２の部位との対向面）とがそれぞれ確保されている。
【０００６】
抵抗６１は、その長さ方向（図１２中の矢印Ａ方向）が一側電極５２における各側板部５２ａ，５２ｂおよび他側電極５３における各側板部５３ａ，５３ｂとほぼ平行となり、連結板部５２ｃ側の部位が各側板部５２ａ，５２ｂ間で挟まれる領域内に位置して各側板部５２ａ，５２ｂと対向し、かつ連結板部５３ｃ側の部位がこの各側板部５２ａ，５２ｂ間で挟まれる領域外に位置して各側板部５３ａ，５３ｂと対向する状態で回路基板７１上に実装されている。また、抵抗６１は、長さ方向の一端部（連結板部５２ｃ側の端部）がこの連結板部５２ｃに回路基板７１を介して接続され、かつ長さ方向の他端部（連結板部５３ｃ側の端部）がこの連結板部５３ｃに回路基板７１を介して接続されることで、コンデンサ５１と並列接続されている。
【先行技術文献】
【特許文献】
【０００７】
【特許文献１】特開２０１４−５５８４８号公報（第５−６頁、第１図）
【発明の概要】
【発明が解決しようとする課題】
【０００８】
ところが、本願発明者らが、上記のコンデンサ５１および抵抗６１の実装構造について、さらに検討を行った結果、コンデンサ５１および抵抗６１が取り付けられた回路基板７１毎に、コンデンサ５１および抵抗６１の並列回路を含む電子回路についての電気的特性に、若干ではあるがばらつきが生じるという課題があることを発見した。また、本願発明者らが、更なる検討を行い、このばらつきは、コンデンサ５１を形成する一側電極５２および他側電極５３の抵抗６１に対する実装位置が、各部材の寸法誤差や組立誤差に起因して、抵抗６１の長さ方向に沿ってわずかにずれることが原因の１つとなって発生することを見い出した。
【０００９】
本発明は、かかる解決すべき課題に鑑みてなされたものであり、コンデンサを形成する電極の抵抗部材に対する実装位置が抵抗部材の長さ方向に沿って多少ずれたことの影響が、コンデンサおよび抵抗部材の並列回路を含む電子回路の電気的特性に及ぶのを最小限に抑制し得るコンデンサおよび抵抗部材の実装構造を提供することを主目的とする。また、このコンデンサおよび抵抗部材の実装構造を備えた入力ユニット、並びにこの入力ユニットを備えた測定装置を提供することを他の主目的とする。
【課題を解決するための手段】
【００１０】
上記目的を達成すべく請求項１記載のコンデンサおよび抵抗部材の実装構造は、抵抗部材と、当該抵抗部材の一方の端子に接続された第１電極および当該抵抗部材の他方の端子に接続された第２電極で形成されるコンデンサとで構成される並列回路におけるコンデンサおよび抵抗部材の実装構造であって、前記第１電極は、前記抵抗部材の長さ方向と平行な状態で配置される第１電極形成部を有して構成され、前記第２電極は、前記抵抗部材の長さ方向と平行な状態で配置される第２電極形成部を有して構成され、前記抵抗部材は、前記第１電極形成部および前記第２電極形成部に一対一で対応する第１抵抗体および第２抵抗体が前記長さ方向に沿って分離して配設され、かつ配線を介して直列接続されて構成されると共に、当該第１抵抗体が対応する前記第１電極形成部と直接対向して位置し、かつ当該第２抵抗体が対応する前記第２電極形成部と直接対向して位置するように実装されている。
【００１１】
また、請求項２記載のコンデンサおよび抵抗部材の実装構造は、抵抗部材と、当該抵抗部材の一方の端子に接続された第１電極および当該抵抗部材の他方の端子に接続された第２電極で形成されるコンデンサとで構成される並列回路におけるコンデンサおよび抵抗部材の実装構造であって、前記第１電極および前記第２電極の少なくとも一方は、前記抵抗部材の長さ方向と平行な状態で、かつ当該長さ方向に沿って並設されたｎ個（ｎは２以上の整数）の電極形成部を有して構成され、前記抵抗部材は、前記ｎ個の電極形成部に一対一で対応するｎ個の抵抗体が前記長さ方向に沿って分離して配設され、かつ配線を介して直列接続されて構成されると共に、当該ｎ個の抵抗体が対応する前記電極形成部と直接対向して位置するように実装されている。
【００１２】
また、請求項３記載のコンデンサおよび抵抗部材の実装構造は、請求項１または２記載のコンデンサおよび抵抗部材の実装構造において、前記抵抗部材は、絶縁材料で形成された１つの基体を有して構成され、各前記抵抗体は、前記長さ方向としての前記基体の長さ方向に沿って当該基体の表面に形成されている。
【００１３】
また、請求項４記載のコンデンサおよび抵抗部材の実装構造は、請求項１記載のコンデンサおよび抵抗部材の実装構造において、前記第１電極は、それぞれが前記第１電極形成部として機能する一対の第１側板部と、当該第１側板部相互間に掛け渡される第１連結板部とで回路基板上に平面視略コ字状に配置され、前記第２電極は、それぞれが前記第２電極形成部として機能する一対の第２側板部と、当該第２側板部相互間に掛け渡される第２連結板部とで前記回路基板上に前記第１電極とは逆向きの平面視略コ字状に配置され、前記抵抗部材は、前記第１抵抗体の配設部位が前記一対の第１側板部の内方に位置し、かつ前記第２抵抗体の配設部位が前記一対の第２側板部の内方に位置する状態で前記回路基板上に配置されている。
【００１４】
また、請求項５記載のコンデンサおよび抵抗部材の実装構造は、請求項１記載のコンデンサおよび抵抗部材の実装構造において、前記第１電極は、それぞれが前記第１電極形成部として機能する一対の第１側板部と、当該第１側板部相互間に掛け渡された第１連結板部とでコ字状に形成されると共に、前記一対の第１側板部を脚部として回路基板上に起立した状態で配置され、前記第２電極は、それぞれが前記第２電極形成部として機能する一対の第２側板部と、当該第２側板部相互間に掛け渡された第２連結板部とでコ字状に形成されると共に、前記一対の第２側板部を脚部として前記回路基板上に起立した状態で配置され、前記抵抗部材は、前記第１抵抗体の配設部位が前記一対の第１側板部の内方に位置し、かつ前記第２抵抗体の配設部位が前記一対の第２側板部の内方に位置する状態で前記回路基板上に配置されている。
【００１５】
また、請求項６記載の入力ユニットは、入力電圧を入力するための電圧入力部を備え、当該電圧入力部が上記のいずれかのコンデンサおよび抵抗部材の実装構造で実装された前記抵抗部材と前記コンデンサとで構成される前記並列回路で構成されている。
【００１６】
また、請求項７記載の測定装置は、上記の入力ユニットを備え、被測定量を測定する。
【発明の効果】
【００１７】
請求項１記載のコンデンサおよび抵抗部材の実装構造によれば、コンデンサを形成する第１電極の第１電極形成部および第２電極の第２電極形成部の抵抗部材に対する実装位置が抵抗部材の長さ方向に沿って多少ずれたとしても、抵抗部材を構成する第１抵抗体がこれと対応する第１電極形成部と直接対向して位置する状態と、抵抗部材を構成する第２抵抗体がこれと対応する第２電極形成部と直接対向して位置する状態とが常に維持されるため、第１電極形成部および第２電極形成部の実装位置が長さ方向に沿ってずれたことの影響が、コンデンサおよび抵抗部材の並列回路を含む電子回路の電気的特性に及ぶのを最小限に抑制することができる。
【００１８】
また、請求項２記載のコンデンサおよび抵抗部材の実装構造によれば、ｎ個の電極形成部を有して構成された第１電極および第２電極の少なくとも一方の電極が、抵抗部材の長さ方向に沿って多少ずれたとしても、抵抗部材を構成するｎ個の抵抗体のそれぞれが、それぞれに対応するｎ個の電極形成部のうちの１つと直接対向して位置する状態が常に維持されるため、この少なくとも一方の電極の実装位置が長さ方向に沿ってずれたことの影響が、コンデンサおよび抵抗部材の並列回路を含む電子回路の電気的特性に及ぶのを最小限に抑制することができる。
【００１９】
また、請求項３記載のコンデンサおよび抵抗部材の実装構造によれば、抵抗部材は、第１抵抗体および第２抵抗体が同じ基体の長さ方向に沿って基体の表面に形成されている構成のため、第１抵抗体および第２抵抗体の位置関係が常に一定の状態でコンデンサに対して実装することができる。つまり、第１抵抗体が対応する第１電極形成部と直接対向して位置し、かつ第２抵抗体が対応する第２電極形成部と直接対向して位置する状態で、コンデンサおよび抵抗部材を実装することができる。
【００２０】
また、請求項４記載のコンデンサおよび抵抗部材の実装構造では、第１電極が、それぞれが第１電極形成部として機能する一対の第１側板部と、第１側板部相互間に掛け渡される第１連結板部とを備えて、回路基板上に平面視略コ字状に配置され、また第２電極が、それぞれが第２電極形成部として機能する一対の第２側板部と、第２側板部相互間に掛け渡される第２連結板部とを備えて、回路基板上に第１電極とは逆向きの平面視略コ字状に配置され、かつ抵抗部材が、第１抵抗体の配設部位が一対の第１側板部の内方に位置し、かつ第２抵抗体の配設部位が一対の第２側板部の内方に位置する状態で回路基板上に配置される実装構造である。したがって、この実装構造によれば、第１電極の第１電極形成部（各第１側板部）および第２電極の第２電極形成部（各第２側板部）を抵抗部材の長さ方向と平行な状態となるように、回路基板に容易に実装することができる。
【００２１】
また、請求項５記載のコンデンサおよび抵抗部材の実装構造においても、請求項４記載のコンデンサおよび抵抗部材の実装構造と同様にして、第１電極の第１電極形成部（各第１側板部）および第２電極の第２電極形成部（各第２側板部）を抵抗部材の長さ方向と平行な状態となるように、回路基板に容易に実装することができる。
【００２２】
また、請求項６記載の入力ユニットによれば、電圧入力部が、上記の各コンデンサおよび抵抗の実装構造のうちのいずれかの実装構造で実装されたコンデンサと抵抗部材の並列回路で構成されているため、上記の実装位置がずれたことの影響が、この並列回路を含む電子回路の電気的特性に及ぶのを最小限に抑制することができる。これにより、この入力ユニットによれば、入力電圧に対する処理をばらつき（電気的特性のばらつき）の少ない状態で実行して出力することができる。
【００２３】
また、請求項７記載の測定装置は、上記の入力ユニットを備えたことにより、このようにしてばらつきの少ない状態で処理された入力電圧に基づいて、被測定量をばらつきの少ない状態で測定することができる。
【図面の簡単な説明】
【００２４】
【図１】コンデンサ３Ａおよび抵抗部材４の実装構造が適用される電子回路１の一例を示す等価回路図である。
【図２】回路基板５上に実装されたコンデンサ３Ａおよび抵抗部材４の実装構造を説明するための斜視図である。
【図３】抵抗部材４の構成を説明するための斜視図である。
【図４】抵抗部材４の比較例としての抵抗部材６１の構成を説明するための斜視図である。
【図５】コンデンサ３Ａおよび抵抗部材４の平面視実装構造を模式的に表した説明図である。
【図６】コンデンサ３Ａおよび抵抗部材６１の平面視実装構造を模式的に表した説明図である。
【図７】回路基板５上に実装されたコンデンサ３Ｂおよび抵抗部材４の実装構造を説明するための斜視図である。
【図８】コンデンサ３Ｂおよび抵抗部材４の平面視実装構造を模式的に表した説明図である。
【図９】コンデンサ３Ｃおよび抵抗部材４の平面視実装構造を模式的に表した説明図である。
【図１０】コンデンサ３Ｄおよび抵抗部材４の平面視実装構造を模式的に表した説明図である。
【図１１】コンデンサ３Ｅおよび抵抗部材４の平面視実装構造を模式的に表した説明図である。
【図１２】回路基板７１上に実装されたコンデンサ５１および抵抗部材６１の実装構造を説明するための斜視図である。
【図１３】入力ユニット１０１ａ，１０１ｂおよび測定装置１００の各構成を説明するための構成図である。
【発明を実施するための形態】
【００２５】
以下、コンデンサおよび抵抗部材の実装構造、入力ユニット並びに測定装置の実施の形態について、添付図面を参照して説明する。
【００２６】
このコンデンサおよび抵抗部材の実装構造は、電圧測定機器における電圧入力部（例えば、図１に示すように、入力電圧Ｖｉｎを電圧測定機器内に入力する（取り込む）ための電子回路１（この例では、演算増幅器２を有する電子回路）の入力部として配置されたコンデンサ３Ａおよび抵抗部材４の並列回路で構成される電圧入力部）の実装構造に適用される。以下では、この実装構造について、回路基板上に実装される電子回路１におけるコンデンサ３Ａおよび抵抗部材４の実装構造を例に挙げて説明するが、この実装構造は、回路基板上以外の場所に並列接続されて実装されるコンデンサ３Ａおよび抵抗部材４にも適用できるのは勿論である。
【００２７】
まず、コンデンサ３Ａおよび抵抗部材４の構造について、図１〜図３を参照して説明する。
【００２８】
最初に、コンデンサ３Ａの構造について説明すると、コンデンサ３Ａは、図２に示すように、間隔を空けて回路基板５に実装された第１電極としての一側電極１１と第２電極としての他側電極１２（いずれも導電性金属材で形成された電極）とを備えて、両電極１１，１２間に存在する空気を誘電体として構成されるコンデンサである。また、コンデンサ３Ａは、このように空気を誘電体とする構成であることから、一側電極１１および他側電極１２の形状や、一側電極１１および他側電極１２の実装時の配置によって任意の耐圧（数ｋＶのような高耐圧を含む）に規定することが可能で、かつ実装後は安定した高精度の静電容量値を維持することが可能となっている。
【００２９】
具体的には、一側電極１１は、一対の長方形平板状の第１側板部１１ａ，１１ｂと、これらの第１側板部１１ａ，１１ｂ相互間に第１側板部１１ａ，１１ｂと略直角な状態で架け渡された長方形平板状の第１連結板部１１ｃとで構成されて、回路基板５上に平面視略コ字状に実装（配置）されている。また、各第１側板部１１ａ，１１ｂは、第１連結板部１１ｃからの長さが同一に規定されると共に、後述するようにこれらの第１側板部１１ａ，１１ｂの内方に実装（配置）された抵抗部材４の長さ方向（図中の矢印Ａ方向。以下、長さ方向Ａともいう）と平行な状態で、かつ抵抗部材４と対向し得る状態（後述する第１抵抗体２２および第２抵抗体２３が配設される抵抗部材４の表面と対向し得る状態）で配置されて、それぞれが第１電極形成部を構成する。ここで、一側電極１１側のこの第１電極形成部、および他側電極１２側の後述する第２電極形成部は、抵抗部材４の長さ方向Ａと平行な状態で、かつ抵抗部材４と対向し得る状態で配置された部材をいい、一側電極１１では上記したように第１側板部１１ａ，１１ｂが第１電極形成部を構成し、他側電極１２では後述するように第２側板部１２ａ，１２ｂが第２電極形成部を構成する。
【００３０】
他側電極１２は、一対の長方形平板状の第２側板部１２ａ，１２ｂ（本例では一例として、相互間の距離が一対の第１側板部１１ａ，１１ｂ間の距離よりも長く規定されて、一対の第１側板部１１ａ，１１ｂの外方に配置される構成である）と、これらの第２側板部１２ａ，１２ｂ相互間に第２側板部１２ａ，１２ｂと略直角な状態で架け渡された長方形平板状の第２連結板部１２ｃとで構成されて、回路基板５上に一側電極１１とは逆向きの平面視略コ字状に実装（配置）されている。また、各第２側板部１２ａ，１２ｂは、第２連結板部１２ｃからの長さが同一に規定されると共に、抵抗部材４の長さ方向Ａと平行な状態で、かつ抵抗部材４と対向し得る状態で配置されて、それぞれが第２電極形成部を構成する。
【００３１】
また、コンデンサ３Ａは、一側電極１１における各第１側板部１１ａ，１１ｂが、他側電極１２における各第２側板部１２ａ，１２ｂのうちの対向する側板部とは重なり合わない非対向面を一部（第１連結板部１１ｃ側の一部）に確保し得る位置関係のもとで回路基板５に実装（配置）され、かつ他側電極１２における各第２側板部１２ａ，１２ｂも、一側電極１１における各第１側板部１１ａ，１１ｂのうちの対向する側板部とは重なり合わない非対向面を一部（第２連結板部１２ｃ側の一部）に確保し得る位置関係のもとで回路基板５に実装（配置）されることで形成されている。具体的には、本例のコンデンサ３Ａでは一例として、図２に示すように、第１側板部１１ａ，１１ｂには、他側電極１２における第２側板部１２ａ，１２ｂと重なり合わない非対向面（同図中の領域ＡＲ１の部位）と、第２側板部１２ａ，１２ｂと重なり合う対向面（同図中の領域ＡＲ２の部位）とがそれぞれ確保されている。また、第２側板部１２ａ，１２ｂにも、一側電極１１における第１側板部１１ａ，１１ｂと重なり合わない非対向面（同図中の領域ＡＲ３の部位）と、第１側板部１１ａ，１１ｂと重なり合う対向面（第１側板部１１ａ，１１ｂにおける領域ＡＲ２の部位との対向面）とがそれぞれ確保されている。
【００３２】
次いで、抵抗部材４の構造について説明する。抵抗部材４は、一例として図３に示すように、絶縁材料で形成された１つの基体２１、基体２１の長さ方向（基体２１の表面に形成される第１抵抗体２２および第２抵抗体２３の各形成領域の並び方向。この例では、後述するように、直方体形状に形成された基体２１の長辺と平行な方向Ａ）に沿って基体２１の表面に分離して形成されてコンデンサ３Ａにおける第１電極形成部および第２電極形成部に一対一で対応する第１抵抗体２２および第２抵抗体２３、並びに基体２１の長さ方向Ａに沿った両端部に配設された一対の端子ＴＥ１，ＴＥ２を備えている。また、抵抗部材４は、第１抵抗体２２および第２抵抗体２３を含めて基体２１の表面全体が不図示の絶縁皮膜で覆われて構成されている。
【００３３】
具体的には、基体２１は、図３に示すように、一例として薄厚の直方体形状に形成されている。また、本例では一例として、第１抵抗体２２の形成領域ＡＲ１１（以下、単に領域ＡＲ１１ともいう）は、基体２１の表面における基体２１の一対の短辺のうちの一方の短辺（同図中の左側の短辺）側の表面に配設され、第２抵抗体２３の形成領域ＡＲ１２（以下、単に領域ＡＲ１２ともいう）は、基体２１の表面における他方の短辺（同図中の右側の短辺）側の表面に配設されている。したがって、この構成の抵抗部材４では、各領域ＡＲ１１，ＡＲ１２の並び方向は、直方体形状に形成された基体２１の長辺と平行であることから、図３に示すように、長辺と平行な方向が長さ方向Ａとなっている。
【００３４】
なお、図示はしないが、領域ＡＲ１１が基体２１の表面における基体２１の一対の長辺のうちの一方の長辺側の表面に配設され、かつ領域ＡＲ１２が基体２１の表面における他方の長辺側の表面に配設された構成（つまり、図３において、基体２１の上下方向が左右方向よりも長い構成）の抵抗部材４では、各領域ＡＲ１１，ＡＲ１２の並び方向は直方体形状に形成された基体２１の短辺と平行であることから、短辺と平行な方向が長さ方向Ａとなる。
【００３５】
一対の端子ＴＥ１，ＴＥ２は、基体２１における長さ方向Ａと平行な１つの辺（図３の構成では、下側の長辺）側に、一対の端子ＴＥ１，ＴＥ２のうちの一方の端子ＴＥ１が領域ＡＲ１１に位置し、他方の端子ＴＥ２が領域ＡＲ１２に位置するように配設されている。この構成により、抵抗部材４は、図２に示すように、基体２１の長さ方向Ａと直交する一対の辺（本例では、一対の短辺）が回路基板５に対して略直角となる起立状態で、回路基板５に実装される。
【００３６】
第１抵抗体２２は、図３に示すように、基体２１上（具体的には、図２に示す回路基板５への実装状態において回路基板５と直交する基体２１の表面上）における領域ＡＲ１１の部位であって、後述する領域ＡＲ０（領域ＡＲ１１の一部となったり、領域ＡＲ１２の一部となったりし得る領域）に含まれない部位に配設（形成）されて、一方の短辺側の端部（図３中の左端部）が一方の端子ＴＥ１に接続されている。第２抵抗体２３は、図３に示すように、基体２１上（具体的には、図２に示す回路基板５への実装状態において回路基板５と直交する基体２１の表面上）における領域ＡＲ１２の部位であって、領域ＡＲ０に含まれない部位に、第１抵抗体２２と分離された状態で配設（形成）されて、他方の短辺側の端部（図３中の右端部）が他方の端子ＴＥ２に接続されている。また、第１抵抗体２２および第２抵抗体２３は、図２，３に示すように、領域ＡＲ０を跨いで形成された配線２６を介して直列接続されている。なお、この配線２６自体の抵抗値は、第１抵抗体２２および第２抵抗体２３の各抵抗値と比較して十分に小さいものであることから、配線２６は実質的には抵抗体として機能しないものとなっている。
【００３７】
この構成の抵抗部材４は、図２に示すように、領域ＡＲ１１の部位が第１側板部１１ａ，１１ｂの内方（第１側板部１１ａ，１１ｂ間で挟まれる領域内）に位置して第１側板部１１ａ，１１ｂと対向し（つまり、抵抗部材４における領域ＡＲ１１の部位は、第１電極形成部を構成する第１側板部１１ａ，１１ｂと直接対向する部位であり）、かつ領域ＡＲ１２の部位が第２側板部１２ａ，１２ｂの内方（第２側板部１２ａ，１２ｂ間で挟まれる領域内）であって、各第１側板部１１ａ，１１ｂ間で挟まれる領域の外の領域に位置して、第２側板部１２ａ，１２ｂと対向する状態（つまり、抵抗部材４における領域ＡＲ１２の部位は、第２電極形成部を構成する第２側板部１２ａ，１２ｂと直接対向する部位となる状態）で回路基板５に実装されている。この構成により、抵抗部材４（基体２１も同様）は、図２，３に示すように、長さ方向Ａに沿って、第１電極形成部を構成する第１側板部１１ａ，１１ｂと直接対向する領域ＡＲ１１と、第２電極形成部を構成する第２側板部１２ａ，１２ｂと直接対向する領域ＡＲ１２とで二分される。
【００３８】
また、抵抗部材４は、図１に示すように、一側電極１１側に位置する一方の端子ＴＥ１が回路基板５を介してこの一側電極１１に接続され、かつ他側電極１２側に位置する他方の端子ＴＥ２が回路基板５を介してこの他側電極１２に接続されることで、コンデンサ３Ａと並列接続されている。
【００３９】
このようにして、第１抵抗体２２は、第１電極形成部としての第１側板部１１ａ，１１ｂと直接対向する部位である領域ＡＲ１１の部位に形成されていることから、第１電極形成部に対応する抵抗体であり、さらには領域ＡＲ０に含まれない部位に形成されていることから、第１電極形成部とのみ直接対向して配設された抵抗体である。また、第２抵抗体２３は、第２電極形成部としての第２側板部１２ａ，１２ｂと直接対向する部位である領域ＡＲ１２内の部位に形成されていることから、第２電極形成部に対応する抵抗体であり、さらには領域ＡＲ０に含まれない部位に形成されていることから、第２電極形成部とのみ直接対向して配設された抵抗体である。
【００４０】
また、本例では一例として、第１抵抗体２２および第２抵抗体２３は、図３に示すように、長さ方向Ａに沿って連続するように折られたつづら折り状に形成された抵抗配線で構成される抵抗体であるが、この構成に限定されるものではなく、図示はしないが、回路基板５への実装状態において回路基板５と直交する方向（図３での基体２１の短辺方向）に沿って連続するように折られたつづら折り状に形成された抵抗配線で構成される抵抗体であってもよいなど、種々の公知の構成の抵抗体を採用することもできる。
【００４１】
また、第１抵抗体２２および第２抵抗体２３は、一例として基体２１の同じ表面に形成されていることから、回路基板５に実装された抵抗部材４を平面視したときに、長さ方向Ａに沿って同一直線上に配設された状態となっている。なお、第１抵抗体２２および第２抵抗体２３は、基体２１の同じ表面に形成される構成に限定されるものではなく、第２抵抗体２３は、第１抵抗体２２が形成された表面の背面（長さ方向Ａと平行で、かつ回路基板５と直交する基体２１の他の表面）に形成される構成（異なる表面に形成される構成）であってもよい。この場合、基体２１は上記したように薄厚の直方体形状であることから、回路基板５に実装された抵抗部材４を平面視した状態では、第１抵抗体２２および第２抵抗体２３は、このように基体２１の異なる表面に形成される構成であっても、実質的に、抵抗部材４の長さ方向Ａに沿って同一直線上に配設された状態となっている。
【００４２】
また、抵抗体自体は、炭素皮膜抵抗や金属被膜抵抗で形成することができる。また、基体２１の形状は、図３に示す薄厚の直方体形状に限定されるものではなく、図示はしないが、断面多角形の柱状形状や楕円柱状や円柱形状などの柱状形状とすることもできる。この形状の基体２１に対しては、外表面に炭素皮膜抵抗や金属被膜抵抗を軸線方向（長さ方向）に沿って分離して形成することで、第１抵抗体２２および第２抵抗体２３を形成することもできるし、外表面に巻線抵抗を軸線方向（長さ方向）に沿って分離して巻回することで、第１抵抗体２２および第２抵抗体２３を形成することもできる。
【００４３】
ところで、一側電極１１および他側電極１２は、上記の発明が解決しようとする課題で説明したように、それぞれの実装位置がそれぞれに付した矢印Ｂ１，Ｂ２（図２参照）で示すように、抵抗部材４の長さ方向Ａに沿ってわずかにずれる場合がある。つまり、一側電極１１および他側電極１２の抵抗部材４に対する相対位置が長さ方向Ａに沿ってずれる場合があり、これにより、抵抗部材４および基体２１を長さ方向Ａに沿って二分する領域ＡＲ１１と領域ＡＲ１２との境界線Ｌ１が長さ方向Ａに沿ってずれる場合がある。なお、この境界線Ｌ１は、第１電極形成部（本例では第１側板部１１ａ，１１ｂ）における抵抗部材４と直接対向する部位と、第２電極形成部（本例では第２側板部１２ａ，１２ｂ）における抵抗部材４と直接対向する部位との境界線でもある（図５参照）。本例では、このずれた境界線Ｌ１が位置し得る領域を符号ＡＲ０で示すものとする（図２，３参照）。つまり、この領域ＡＲ０は、領域ＡＲ１１の一部となったり、領域ＡＲ１２の一部となったりし得る領域である。なお、境界線Ｌ１の実際のずれ量は僅かであるが、説明する領域ＡＲ０が認識可能な状態となるように、図２，３では領域ＡＲ０を誇張して表示している。
【００４４】
本例の抵抗部材４では、上記したように、第１抵抗体２２は、第１電極形成部としての第１側板部１１ａ，１１ｂとのみ直接対向するように基体２１上の領域ＡＲ１１（領域ＡＲ０となり得る領域以外の領域ＡＲ１１）に配設された抵抗体であり、また第２抵抗体２３は、第２電極形成部としての第２側板部１２ａ，１２ｂとのみ直接対向するように基体２１上の領域ＡＲ１２（領域ＡＲ０となり得る領域以外の領域ＡＲ１２）に配設された抵抗体である。
【００４５】
このため、抵抗部材４に対する一側電極１１および他側電極１２の各実装位置が矢印Ｂ１，Ｂ２で示すように、抵抗部材４の長さ方向Ａに沿ってわずかにずれたとしても（本例では、第１側板部１１ａ，１１ｂおよび第２側板部１２ａ，１２ｂのそれぞれに、互いに重なり合う対向面（領域ＡＲ２の部位）が確保されている構成のため、他側電極１２の実装位置のずれの影響はなく、主として一側電極１１の実装位置のずれが影響することになる）、第１側板部１１ａ，１１ｂとのみ直接対向する抵抗部材４における抵抗体（本例では第１抵抗体２２）の抵抗値は変化せず、また第２側板部１２ａ，１２ｂとのみ直接対向する抵抗部材４における抵抗体（本例では第２抵抗体２３）の抵抗値も変化しない。また、コンデンサ３Ａおよび抵抗部材４の平面視実装構造を模式的に表した図５で示されるように、第１抵抗体２２と第１側板部１１ａ，１１ｂとの間に形成される静電容量の容量値（同図では、理解の容易のため、第１抵抗体２２と第１側板部１１ｂとの間に形成される静電容量のみを図示している）、および第２抵抗体２３と第２側板部１２ａ，１２ｂとの間に形成される静電容量（同図では、理解の容易のため、第２抵抗体２３と第２側板部１２ｂとの間に形成される静電容量のみを図示している）の容量値も殆ど変化しない。以上のことから、一側電極１１および他側電極１２の各実装位置が長さ方向Ａに沿って矢印Ｂ１，Ｂ２で示すようにずれたとしても、コンデンサ３Ａおよび抵抗部材４の並列回路で構成される電圧入力部の電気的特性（例えば周波数特性）は殆ど変化しない。
【００４６】
これに対して、図４に示すように、基体２１上における一方の端子ＴＥ１から他方の端子ＴＥ２までの間の領域の全体に亘って抵抗体６２が長さ方向Ａに沿ってほぼ均一に形成されている抵抗部材６１（背景技術で説明した抵抗６１と同一構造の抵抗部材）を抵抗部材４に代えて使用する構成では、抵抗部材６１に対する一側電極１１および他側電極１２の各実装位置が抵抗部材６１の長さ方向Ａに沿ってわずかにずれた場合、領域ＡＲ１１と領域ＡＲ１２との境界線Ｌ１が領域ＡＲ０内で長さ方向Ａに沿ってずれることから、各領域ＡＲ１１，ＡＲ１２の面積が変化し、これに伴い、各領域ＡＲ１１，ＡＲ１２に含まれている抵抗体の各抵抗値も変化する（つまり、第１側板部１１ａ，１１ｂと直接対向する抵抗部材６１における抵抗体の抵抗値と、第２側板部１２ａ，１２ｂと直接対向する抵抗部材６１における抵抗体の抵抗値とが変化する）。また、コンデンサ３Ａおよび抵抗部材６１の平面視実装構造を模式的に表した図６で示されるように、抵抗体６２と第１側板部１１ａ，１１ｂとの間に形成される静電容量の容量値（同図では、理解の容易のため、抵抗体６２と第１側板部１１ｂとの間に形成される静電容量のみを図示している）、および抵抗体６２と第２側板部１２ａ，１２ｂとの間に形成される静電容量（同図では、理解の容易のため、抵抗体６２と第２側板部１２ｂとの間に形成される静電容量のみを図示している）の容量値も変化する。以上のことから、一側電極１１および他側電極１２の各実装位置が長さ方向Ａに沿ってずれた場合、コンデンサ３Ａおよび抵抗部材６１の並列回路で構成される電圧入力部の電気的特性（例えば周波数特性）も変化する。
【００４７】
このように、このコンデンサ３Ａおよびこの抵抗部材４の実装構造では、第１電極としての一側電極１１が長さ方向Ａと平行な状態で配置された第１電極形成部としての第１側板部１１ａ，１１ｂを有して構成され、第２電極としての他側電極１２が長さ方向Ａと平行な状態で配置された第２電極形成部としての第２側板部１２ａ，１２ｂを有して構成されているときに、抵抗部材４は、第１電極形成部（第１側板部１１ａ，１１ｂ）および第２電極形成部（第２側板部１２ａ，１２ｂ）に一対一で対応する第１抵抗体２２および第２抵抗体２３が長さ方向Ａに沿って分離して配設され、かつ配線２６を介して直列接続されて構成されると共に、第１抵抗体２２が対応する第１電極形成部（第１側板部１１ａ，１１ｂ）とのみ直接対向して位置し、かつ第２抵抗体２３が対応する第２電極形成部（第２側板部１２ａ，１２ｂ）とのみ直接対向して位置するように、コンデンサ３Ａと共に回路基板５に実装されている。
【００４８】
したがって、このコンデンサ３Ａおよびこの抵抗部材４の実装構造によれば、コンデンサ３Ａを形成する第１側板部１１ａ，１１ｂおよび第２側板部１２ａ，１２ｂのうちの第１側板部１１ａ，１１ｂの抵抗部材４に対する実装位置が抵抗部材４の長さ方向Ａに沿って多少ずれたとしても、抵抗部材４を構成する第１抵抗体２２がこれと対応する第１電極形成部（第１側板部１１ａ，１１ｂ）とのみ直接対向して位置する状態（第１抵抗体２２と対向する電極形成部位が主としてこの第１電極形成部となっている状態）と、抵抗部材４を構成する第２抵抗体２３がこれと対応する第２電極形成部（第２側板部１２ａ，１２ｂ）とのみ直接対向して位置する状態（第２抵抗体２３と対向する電極形成部位が主としてこの第２電極形成部となっている状態）とが常に維持されるため、第１側板部１１ａ，１１ｂの実装位置が長さ方向Ａに沿ってずれたことの影響が、コンデンサ３Ａおよび抵抗部材４の並列回路を含む電子回路１の電気的特性に及ぶのを最小限に抑制することができる。
【００４９】
また、このコンデンサ３Ａおよびこの抵抗部材４の実装構造によれば、抵抗部材４は、絶縁材料で形成された１つの基体２１を有して構成され、第１抵抗体２２および第２抵抗体２３は、基体２１の長さ方向Ａに沿って基体２１の表面に形成されている構成のため、第１抵抗体２２および第２抵抗体２３の位置関係が常に一定の状態でコンデンサ３Ａに対して実装することができる。つまり、第１抵抗体２２が対応する第１電極形成部（第１側板部１１ａ，１１ｂ）とのみ直接対向して位置し、かつ第２抵抗体２３が対応する第２電極形成部（第２側板部１２ａ，１２ｂ）とのみ直接対向して位置する状態で、コンデンサ３Ａおよび抵抗部材４を実装することができる。
【００５０】
また、このコンデンサ３Ａおよびこの抵抗部材４の実装構造では、第１電極としての一側電極１１が、それぞれが第１電極形成部として機能する一対の第１側板部１１ａ，１１ｂと、第１側板部１１ａ，１１ｂ相互間に掛け渡される第１連結板部１１ｃとを備えて、回路基板５上に平面視略コ字状に配置され、また第２電極としての他側電極１２が、一対の第１側板部１１ａ，１１ｂの外方に配置されてそれぞれが第２電極形成部として機能する一対の第２側板部１２ａ，１２ｂと、第２側板部１２ａ，１２ｂ相互間に掛け渡される第２連結板部１２ｃとを備えて、回路基板５上に一側電極１１とはその向きを逆に組み合わせて平面視略コ字状に配置され、かつ抵抗部材４が、第１抵抗体２２の配設部位が一対の第１側板部１１ａ，１１ｂの内方に位置し、かつ第２抵抗体２３の配設部位が一対の第２側板部１２ａ，１２ｂの内方に位置する状態で回路基板５上に配置される実装構造である。したがって、この実装構造によれば、一側電極１１の第１電極形成部（第１側板部１１ａ，１１ｂ）および他側電極１２の第２電極形成部（第２側板部１２ａ，１２ｂ）を抵抗部材４の長さ方向Ａと平行な状態となるように、回路基板５に容易に実装することができる。
【００５１】
なお、上記のコンデンサ３Ａおよび抵抗部材４の実装構造では、コンデンサ３Ａを構成する一側電極１１および他側電極１２を、回路基板５上にそれぞれ平面視略コ字状に配置して実装する構造であるが、一側電極１１および他側電極１２の回路基板５上への実装構造はこれに限定されるものではなく、図７に示す実装構造であってもよい。以下、図７を参照して、コンデンサ３Ａおよび抵抗部材４の他の実装構造について説明する。なお、図１〜図６を参照して説明した上記のコンデンサ３Ａおよび抵抗部材４の実装構造と同一の構成については同一の符号を付して重複する説明を省略する。また、抵抗部材４については、上記した抵抗部材４と同一であることから、コンデンサ３Ｂについて主として説明する。
【００５２】
コンデンサ３Ｂは、図７に示すように、第１電極形成部として機能する一対の第１側板部１１ａ，１１ｂと、第１側板部１１ａ，１１ｂ相互間に掛け渡された第１連結板部１１ｃとでコ字状に形成された第１電極としての一側電極１１と、第２電極形成部として機能する一対の第２側板部１２ａ，１２ｂと、第２側板部１２ａ，１２ｂ相互間に掛け渡された第２連結板部１２ｃとでコ字状に形成された第２電極としての他側電極１２を備えている。
【００５３】
また、このコンデンサ３Ｂでは、一側電極１１は、第１側板部１１ａ，１１ｂを脚部として回路基板５上に起立した状態で、かつ抵抗部材４を跨ぐ形態で実装（配置）されている。また、他側電極１２は、第１側板部１１ａ，１１ｂの外方に配置された第２側板部１２ａ，１２ｂを脚部として回路基板５上に起立した状態で、かつ抵抗部材４および一側電極１１を跨ぐ形態（抵抗部材４および一側電極１１の一部を覆う形態）で実装（配置）されている。
【００５４】
また、このコンデンサ３Ｂでは、第１連結板部１１ｃおよび第２連結板部１２ｃについても、長さ方向Ａと平行な状態で配置された部材であるが、抵抗部材４と対向し得る状態（第１抵抗体２２および第２抵抗体２３が配設される抵抗部材４の表面と平行な状態）で配置された部材ではない。したがって、コンデンサ３Ｂでは、第１連結板部１１ｃは第１電極形成部として機能せず、また第２連結板部１２ｃは第２電極形成部として機能しない構成となっている。
【００５５】
また、コンデンサ３Ｂでも、コンデンサ３Ａと同様にして、一側電極１１における各第１側板部１１ａ，１１ｂが、他側電極１２における各第２側板部１２ａ，１２ｂのうちの対向する側板部とは重なり合わない非対向面を一部に確保し得る位置関係のもとで回路基板５に実装（配置）されることで形成されている。具体的には、図７に示すように、第１側板部１１ａ，１１ｂには、他側電極１２における第２側板部１２ａ，１２ｂと重なり合わない非対向面（同図中の領域ＡＲ１の部位）と、第２側板部１２ａ，１２ｂと重なり合う対向面（同図中の領域ＡＲ２の部位）とがそれぞれ確保されている。さらに、コンデンサ３Ｂでは、第１連結板部１１ｃには、他側電極１２における第２連結板部１２ｃと重なり合わない非対向面（同図中の領域ＡＲ１の部位）と、第２連結板部１２ｃと重なり合う対向面（同図中の領域ＡＲ２の部位）とがそれぞれ確保されている。
【００５６】
また、第２側板部１２ａ，１２ｂにも、一側電極１１における各第１側板部１１ａ，１１ｂと重なり合わない非対向面（同図中の領域ＡＲ３の部位）と、第１側板部１１ａ，１１ｂと重なり合う対向面（第１側板部１１ａ，１１ｂにおける領域ＡＲ２の部位との対向面）とがそれぞれ確保されている。さらに、コンデンサ３Ｂでは、第２連結板部１２ｃにも、一側電極１１における第１連結板部１１ｃと重なり合わない非対向面（同図中の領域ＡＲ３の部位）と、第１連結板部１１ｃと重なり合う対向面（第１連結板部１１ｃにおける領域ＡＲ２の部位との対向面）とがそれぞれ確保されている。
【００５７】
また、図７に示す抵抗部材４は、図２，３を参照して説明した上記の抵抗部材４と同一に構成されると共に、コンデンサ３Ｂにおける第１電極形成部（第１側板部１１ａ，１１ｂ）と第２電極形成部（第２側板部１２ａ，１２ｂ）とに対する第１抵抗体２２および第２抵抗体２３の位置関係が、図２を参照して説明したコンデンサ３Ａおよび抵抗部材４の実装構造での位置関係と同一となるように、コンデンサ３Ｂに対して実装されている。また、抵抗部材４は、一方の端子ＴＥ１が回路基板５を介して一側電極１１（この例では、第１側板部１１ａ，１１ｂのいずれか）に接続され、かつ他方の端子ＴＥ２が回路基板５を介して他側電極１２（この例では、第２側板部１２ａ，１２ｂのいずれか）に接続されることで、コンデンサ３Ｂと並列接続されている。
【００５８】
したがって、コンデンサ３Ｂおよび抵抗部材４の平面視実装構造を模式的に表した図８で示されるように、抵抗部材４では、その第１抵抗体２２が、領域ＡＲ１１における領域ＡＲ０に含まれない部位に形成されて、コンデンサ３Ｂの第１電極形成部としての第１側板部１１ａ，１１ｂとのみ直接対向して配設された抵抗体となっており、またその第２抵抗体２３が、領域ＡＲ１２における領域ＡＲ０に含まれない部位に形成されて、コンデンサ３Ｂの第２電極形成部としての第２側板部１２ａ，１２ｂとのみ直接対向して配設された抵抗体となっている。
【００５９】
これにより、図７，８に示すコンデンサ３Ｂおよび抵抗部材４の実装構造においても、抵抗部材４に対する一側電極１１および他側電極１２の各実装位置が矢印Ｂ１，Ｂ２で示すように、抵抗部材４の長さ方向Ａに沿ってわずかにずれたとしても（この例では、第１側板部１１ａ，１１ｂおよび第１連結板部１１ｃと、第２側板部１２ａ，１２ｂおよび第２連結板部１２ｃとのそれぞれに、互いに重なり合う対向面（領域ＡＲ２の部位）が確保されている構成のため、他側電極１２の実装位置のずれの影響はなく、主として一側電極１１の実装位置のずれが影響することになる）、第１側板部１１ａ，１１ｂとのみ直接対向する抵抗部材４における第１抵抗体２２の抵抗値は変化せず、また第２側板部１２ａ，１２ｂとのみ直接対向する抵抗部材４における第２抵抗体２３の抵抗値も変化しない。また、図８で示されるように、第１抵抗体２２と第１側板部１１ａ，１１ｂとの間に形成される静電容量の容量値（同図では、理解の容易のため、第１抵抗体２２と第１側板部１１ｂとの間に形成される静電容量のみを図示している）、および第２抵抗体２３と第２側板部１２ａ，１２ｂとの間に形成される静電容量（同図では、理解の容易のため、第２抵抗体２３と第２側板部１２ｂとの間に形成される静電容量のみを図示している）の容量値も殆ど変化しない。以上のことから、一側電極１１および他側電極１２の各実装位置が長さ方向Ａに沿って矢印Ｂ１，Ｂ２で示すようにずれたとしても、コンデンサ３Ａおよび抵抗部材４の並列回路で構成される電圧入力部の電気的特性（例えば周波数特性）は殆ど変化しない。
【００６０】
したがって、図７，８に示すコンデンサ３Ｂおよび抵抗部材４の実装構造においても、一側電極１１の第１電極形成部（第１側板部１１ａ，１１ｂ）および他側電極１２の第２電極形成部（第２側板部１２ａ，１２ｂ）を抵抗部材４の長さ方向Ａと平行な状態となるように、容易に実装することができるとの効果を含む上記したコンデンサ３Ａおよび抵抗部材４の実装構造での各効果と同等の効果を奏することができる。
【００６１】
また、上記したコンデンサ３Ａでは、各第１側板部１１ａ，１１ｂおよび各第２側板部１２ａ，１２ｂが、導電性金属材で構成された１枚の長方平板形状に形成されることで、それぞれが電極形成部を１つずつ有する（上記の第１側板部１１ａ，１１ｂでは、それ自体が第１電極形成部を構成し、第２側板部１２ａ，１２ｂでは、それ自体が第２電極形成部を構成している）構成であったが、第１側板部１１ａ，１１ｂの組および第２側板部１２ａ，１２ｂの組のうちの少なくとも一方の組が、２以上の電極形成部を有する構成であってもよい。一例として、第１側板部１１ａ，１１ｂの組および第２側板部１２ａ，１２ｂの組のそれぞれが、２つの電極形成部を有する構成のコンデンサ３Ｃと、このコンデンサ３Ｃに対応した構成の抵抗部材４とについての実装構造について、以下において説明する。なお、本例では、理解の容易のため、図２や図７のような斜視図は省略して、コンデンサ３Ｃおよび抵抗部材４の平面視実装構造を模式的に表した図９を参照して説明する。
【００６２】
コンデンサ３Ｃの構造について説明する。なお、コンデンサ３Ｃは、図２に示すコンデンサ３Ａに変更を加えたものであることから、以下では、コンデンサ３Ａと比較しつつ説明する。
【００６３】
コンデンサ３Ｃは、コンデンサ３Ｃと同様にして、図９に示すように、間隔を空けて回路基板５に実装された第１電極としての一側電極１１と第２電極としての他側電極１２（いずれも導電性金属材で形成された電極）とを備えて、両電極１１，１２間に存在する空気を誘電体として構成されるコンデンサである。
【００６４】
具体的には、一側電極１１は、図９に示すように、一対の第１側板部１１ａ，１１ｂと、これらの第１側板部１１ａ，１１ｂ相互間に第１側板部１１ａ，１１ｂと略直角な状態で架け渡された第１連結板部１１ｃとを備えて、これらが回路基板５上に平面視略コ字状に実装（配置）される構成については図２に示す一側電極１１と同一である。一方、図９に示す一側電極１１は、第１側板部１１ａの先端に他の長方形平板状の第１連結板部１１ｄ（第１連結板部１１ｃと平行）を介して他の長方形平板状の第１側板部１１ｅ（第１側板部１１ａと平行）が連結されている構成と、第１側板部１１ｂの先端に他の長方形平板状の第１連結板部１１ｆ（第１連結板部１１ｃと平行）を介して他の長方形平板状の第１側板部１１ｇ（第１側板部１１ｂと平行）が連結されている構成とにおいて、図２に示す一側電極１１と相違している。この場合、長さ方向Ａに沿った第１側板部１１ｅおよび第１側板部１１ｇの長さは同一に規定されている。また、本例では一例として、第１側板部１１ｅおよび第１側板部１１ｇは、第１側板部１１ａ，１１ｂよりも抵抗部材４から離間した位置に実装（配置）される構成であるが、第１側板部１１ａ，１１ｂよりも抵抗部材４に近接した位置に実装（配置）される構成としてもよい。
【００６５】
他側電極１２は、図９に示すように、一対の第２側板部１２ａ，１２ｂと、これらの第２側板部１２ａ，１２ｂ相互間に第２側板部１２ａ，１２ｂと略直角な状態で架け渡された第２連結板部１２ｃとを備えて、これらが回路基板５上に一側電極１１とはその向きを逆に組み合わせて平面視略コ字状に実装（配置）される構成については図２に示す他側電極１２と同一である。一方、図９に示す他側電極１２は、第２側板部１２ａの先端に他の長方形平板状の第２連結板部１２ｄ（第２連結板部１２ｃと平行）を介して他の長方形平板状の第２側板部１２ｅ（第２側板部１２ａと平行）が連結されている構成と、第２側板部１２ｂの先端に他の長方形平板状の第２連結板部１２ｆ（第２連結板部１２ｃと平行）を介して他の長方形平板状の第２側板部１２ｇ（第２側板部１２ｂと平行）が連結されている構成とにおいて、図２に示す他側電極１２と相違している。この場合、長さ方向Ａに沿った第２側板部１２ｅおよび第２側板部１２ｇの長さは同一に規定されている。また、本例では一例として、第２側板部１２ｅおよび第２側板部１２ｇは、第２側板部１２ａ，１２ｂよりも抵抗部材４から離間した位置に実装（配置）される構成であるが、第２側板部１２ａ，１２ｂよりも抵抗部材４に近接した位置に実装（配置）される構成としてもよい。
【００６６】
以上の構成により、コンデンサ３Ｃの一側電極１１では、第１側板部１１ａ，１１ｂが第１電極形成部を構成し、他の第１側板部１１ｅ，１１ｇが他の電極形成部（以下では、区別のため、第３電極形成部ともいう）を構成する。また、コンデンサ３Ｃの他側電極１２では、第２側板部１２ａ，１２ｂが第２電極形成部を構成し、他の第２側板部１２ｅ，１２ｇが他の電極形成部（以下では、区別のため、第４電極形成部ともいう）を構成する。
【００６７】
また、コンデンサ３Ｃは、一側電極１１における各第１側板部１１ｅ，１１ｇの先端部と、他側電極１２における各第２側板部１２ｅ，１２ｇの先端部とにのみ、互いに重なり合う対向面（同図中の領域ＡＲ２の部位）がそれぞれ確保され得る位置関係のもとで、一側電極１１および他側電極１２が回路基板５に実装（配置）されることで形成されている。このため、一側電極１１では、第１側板部１１ａ，１１ｂの全体、および第１側板部１１ｅ，１１ｇの基端部に、他側電極１２側の各第２側板部１２ａ，１２ｂ，１２ｅ，１２ｇと重なり合わない非対向面（同図中の領域ＡＲ１の部位）が確保されている。また、他側電極１２では、第２側板部１２ａ，１２ｂの全体、および第２側板部１２ｅ，１２ｇの基端部に、一側電極１１側の各側板部１１ａ，１１ｂ，１１ｅ，１１ｇと重なり合わない非対向面（同図中の領域ＡＲ３の部位）が確保されている。
【００６８】
また、コンデンサ３Ａでは、一側電極１１および他側電極１２に第１電極形成部（第１側板部１１ａ，１１ｂ）と第２電極形成部（第２側板部１２ａ，１２ｂ）の２つの電極形成部しか存在しない構成のため、異なる電極形成部間の境界線は境界線Ｌ１の１つしか存在していないのに対して、一側電極１１および他側電極１２に４つの電極形成部（第１電極形成部〜第４電極形成部）が存在する構成のコンデンサ３Ｃでは、図９に示すように、第１電極形成部（第１側板部１１ａ，１１ｂ）と第３電極形成部（第１側板部１１ｅ，１１ｇ）との間の境界線Ｌ１、第３電極形成部（第１側板部１１ｅ，１１ｇ）と第４電極形成部（第２側板部１２ｅ，１２ｇ）との間の境界線Ｌ２、および第４電極形成部（第２側板部１２ｅ，１２ｇ）と第２電極形成部（第２側板部１２ａ，１２ｂ）との間の境界線Ｌ３の３つの境界線が存在している。したがって、一側電極１１および他側電極１２のそれぞれの実装位置が矢印Ｂ１，Ｂ２（図９参照）で示すように、抵抗部材４の長さ方向Ａに沿ってわずかにずれた場合に、各境界線Ｌ１，Ｌ２，Ｌ３が位置し得る領域ＡＲ０も同図に示すように、３つ存在している。
【００６９】
このため、抵抗部材４は、一例として図９に示すように、第１電極形成部（第１側板部１１ａ，１１ｂ）と直接対向する部位（領域ＡＲ１１）であって、領域ＡＲ０に含まれない部位に（つまり対応する第１電極形成部とのみ直接対向する部位に）配設された第１抵抗体２２、第３電極形成部（第１側板部１１ｅ，１１ｇ）と直接対向する部位（領域ＡＲ１３）であって、領域ＡＲ０に含まれない部位に（つまり対応する第３電極形成部とのみ直接対向する部位に）配設された第３抵抗体２４、第４電極形成部（第２側板部１２ｅ，１２ｇ）と直接対向する部位（領域ＡＲ１４）であって、領域ＡＲ０に含まれない部位に（つまり対応する第４電極形成部とのみ直接対向する部位に）配設された第４抵抗体２５、および第２電極形成部（第２側板部１２ａ，１２ｂ）と直接対向する部位（領域ＡＲ１２）であって、領域ＡＲ０に含まれない部位に（つまり対応する第２電極形成部とのみ直接対向する部位に）配設された第２抵抗体２３が、基体２１の長さ方向Ａに沿ってこの順で直線状に配設されると共に、直列接続されて構成されている。
【００７０】
これにより、図９に示すコンデンサ３Ｃおよび抵抗部材４の実装構造においても、抵抗部材４に対する一側電極１１および他側電極１２の各実装位置が矢印Ｂ１，Ｂ２で示すように、抵抗部材４の長さ方向Ａに沿ってわずかにずれたとしても、第１側板部１１ａ，１１ｂとのみ直接対向する抵抗部材４における第１抵抗体２２の抵抗値は変化せず、第１側板部１１ｅ，１１ｇとのみ直接対向する抵抗部材４における第３抵抗体２４の抵抗値は変化せず、第２側板部１２ｅ，１２ｇとのみ直接対向する抵抗部材４における第４抵抗体２５の抵抗値は変化せず、また第２側板部１２ａ，１２ｂとのみ直接対向する抵抗部材４における第２抵抗体２３の抵抗値も変化しない。また、図９で示されるように、第１抵抗体２２と第１側板部１１ａ，１１ｂとの間に形成される静電容量の容量値（同図では、理解の容易のため、第１抵抗体２２と第１側板部１１ｂとの間に形成される静電容量のみを図示している）、第３抵抗体２４と第１側板部１１ｅ，１１ｇとの間に形成される静電容量の容量値（同図では、理解の容易のため、第３抵抗体２４と第１側板部１１ｇとの間に形成される静電容量のみを図示している）、第４抵抗体２５と第２側板部１２ｅ，１２ｇとの間に形成される静電容量の容量値（同図では、理解の容易のため、第４抵抗体２５と第２側板部１２ｇとの間に形成される静電容量のみを図示している）、および第２抵抗体２３と第２側板部１２ａ，１２ｂとの間に形成される静電容量（同図では、理解の容易のため、第２抵抗体２３と第２側板部１２ｂとの間に形成される静電容量のみを図示している）の容量値も殆ど変化しない。以上のことから、一側電極１１および他側電極１２の各実装位置が長さ方向Ａに沿って矢印Ｂ１，Ｂ２で示すようにずれたとしても、コンデンサ３Ｃおよび抵抗部材４の並列回路で構成される電圧入力部の電気的特性（例えば周波数特性）は殆ど変化しない。
【００７１】
したがって、図９に示すコンデンサ３Ｃおよび抵抗部材４の実装構造においても、上記したコンデンサ３Ａおよび抵抗部材４の実装構造と同等の効果を奏することができる。
【００７２】
また、上記のコンデンサ３Ａでは、第１電極としての一側電極１１が抵抗部材４を挟むようにしてその両側に実装される一対の第１電極形成部（第１側板部１１ａ，１１ｂ）を有すると共に、第２電極としての他側電極１２が抵抗部材４を挟むようにしてその両側に実装される一対の第２電極形成部（第２側板部１２ａ，１２ｂ）を有するように構成されているが、抵抗部材４に対して同じ側に位置する１つの第１側板部および１つの第２側板部のみ（第１側板部１１ａと第２側板部１２ａのみ、または第１側板部１１ｂと第２側板部１２ｂのみ）でコンデンサ３Ａを構成することもできる。上記のコンデンサ３Ｃについても同様にして、抵抗部材４に対して同じ側に位置する２つの第１側板部および第１連結板部と、２つの第２側板部および第２連結板部とのみ（第１側板部１１ａ，１１ｅおよび第１連結板部１１ｄと、第２側板部１２ａ，１２ｅおよび第２連結板部１２ｄとのみ、または第１側板部１１ｂ，１１ｇおよび第１連結板部１１ｆと、第２側板部１２ｂ，１２ｇおよび第２連結板部１２ｆとのみ）でコンデンサ３Ｃを構成することもできる。
【００７３】
また、第１電極としての一側電極１１が２個の電極形成部（第１電極形成部および第３電極形成部）を有し、かつ第２電極としての他側電極１２が２個の電極形成部（第２電極形成部および第４電極形成部）を有するコンデンサ３Ｃ、およびこのコンデンサ３Ｃに対応する４個の抵抗体（第１抵抗体２２〜第４抵抗体２５）を備えた抵抗部材４についての実装構造について説明したが、図示はしないが、第１電極としての一側電極１１は３個以上の電極形成部を有する構成であってもよいし、また第２電極としての他側電極１２も３個以上の電極形成部を有する構成であってもよい。つまり、第１電極としての一側電極１１はｎ個（ｎは２以上の整数）の電極形成部を有する構成とすることができ、また第２電極としての他側電極１２もｍ個（ｍは２以上の整数）の電極形成部を有する構成とすることができる。この場合、第１電極としての一側電極１１での電極形成部の数は、第２電極としての他側電極１２とで電極形成部の数と同じであってもよいし、異なっていてもよい。
【００７４】
また、図示はしないが、第１電極としての一側電極１１および第２電極としての他側電極１２のうちのいずれか一方の電極における電極形成部の数を複数とし、他方の電極における電極形成部の数を１つとする構成とすることもできる。
【００７５】
また、このようにして、第１電極としての一側電極１１および第２電極としての他側電極１２のうちの少なくとも一方の電極での電極形成部の数を複数（例えばｎ個）としたときの抵抗部材４におけるこの一方の電極と対向する部位では、このｎ個の電極形成部に一対一で対応するｎ個の抵抗体が抵抗部材４の長さ方向Ａに沿って直線状に配設され、かつｎ個の抵抗体が直列接続されて構成される。また、この抵抗部材４は、このｎ個の抵抗体が、それぞれと対応する電極形成部とのみ直接対向して位置するように実装される。
【００７６】
このコンデンサおよび抵抗部材の実装構造によれば、ｎ個の電極形成部を有して構成されたこの少なくとも一方の電極が、抵抗部材４の長さ方向Ａに沿って多少ずれたとしても、抵抗部材４を構成するｎ個の抵抗体のそれぞれが、それぞれに対応するｎ個の電極形成部のうちの１つとのみ直接対向して位置する状態が常に維持されるため、この少なくとも一方の電極の実装位置が長さ方向に沿ってずれたことの影響が、コンデンサおよび抵抗部材の並列回路を含む電子回路の電気的特性に及ぶのを最小限に抑制することができる。
【００７７】
また、上記の例では、第１電極としての一側電極１１が有する電極形成部、および第２電極としての他側電極１２が有する電極形成部は、長方形平板状に形成されているが、この構成に限定されるものではなく、図１０に示すように、直径が一定の円筒状の第１電極としての一側電極１１、および直径が一定（一側電極１１よりも大径）の円筒状の第２電極としての他側電極１２でコンデンサ３Ｄを構成することもできる。この構成のコンデンサ３Ｄおよび抵抗部材４の実装構造では、抵抗部材４（本例では一例として直径が一定の円柱状の外形であるが、長さ方向Ａに沿った断面形状が一定であれば、楕円柱状や多角柱状の外形であってもよい）に対して、抵抗部材４の一端部側を取り囲むようにして円筒状の一側電極１１をその不図示の軸線が抵抗部材４の長さ方向Ａと平行となるように実装し、かつ抵抗部材４の他端部側および一側電極１１の一部（抵抗部材４の他端部側の一部）を取り囲むようにして円筒状の他側電極１２をその不図示の軸線が抵抗部材４の長さ方向Ａと平行となるように実装される。
【００７８】
この構成のコンデンサ３Ｄでは、円筒状の一側電極１１および他側電極１２に関して、抵抗部材４の軸線（中心軸）Ｌａから同一方向（図１０では一例として矢印Ｗで示している方向）に位置し、かつ長さ方向Ａに沿った幅狭部位（一側電極１１での斜線を付した部位Ｐ１、および他側電極１２での斜線を付した部位Ｐ２）は、それぞれ長さ方向Ａに沿って平行な状態で配置された部位であることから、例えば、コンデンサ３Ａを構成する長方形平板状の一側電極１１および他側電極１２と同じようにして、それぞれが第１電極形成部および第２電極形成部として機能する。そして、円筒状の一側電極１１は、その軸線を中心とする同心円上にこの部位Ｐ１が並設されて連結されたものであることから、全体としても第１電極形成部として機能する。また、円筒状の他側電極１２も、その軸線を中心とする同心円上にこの部位Ｐ２が並設されて連結されたものであることから、全体としても第２電極形成部として機能する。
【００７９】
したがって、コンデンサ３Ｄを使用する場合においても、コンデンサ３Ａを使用するときと同様にして、図１０に示すように、第１電極形成部としての一側電極１１に対応する第１抵抗体２２、および第２電極形成部としての他側電極１２に対応する第２抵抗体２３を基体上に長さ方向Ａに沿って分離して配設し、かつ配線２６を介して直列接続して抵抗部材４を構成する。具体的には、図１０に示す抵抗部材４では、不図示の基体は抵抗部材４の外形に対応した柱状（例えば、抵抗部材４の外形が円柱状であれば、円柱状、抵抗部材４の外形が多角柱状であれば、多角柱状など）に形成されて、第１抵抗体２２および第２抵抗体２３は、この基体の表面に、炭素皮膜抵抗や金属被膜抵抗や巻線抵抗などによって長さ方向Ａに沿って分離して形成される。また、この抵抗部材４を、第１抵抗体２２が対応する一側電極１１とのみ直接対向して位置し、かつ第２抵抗体２３が対応する他側電極１２とのみ直接対向して位置するように、コンデンサ３Ｄと共に実装する。なお、このコンデンサ３Ｄおよびこの抵抗部材４を図１０に示す態様で回路基板５上に実装する場合には、絶縁材料で形成された支持部材を介して回路基板５上に実装するなど、種々の実装構造を採用することができる。
【００８０】
これにより、この図１０に示すコンデンサ３Ｄおよび抵抗部材４の実装構造においても、上記したコンデンサ３Ａおよび抵抗部材４の実装構造と同等の効果を奏することができる。
【００８１】
また、上記の各コンデンサ３Ａ，３Ｂ，３Ｃ，３Ｄでは、他側電極１２が、その一部の部位が一側電極１１の一部の部位の外方に配置される状態で実装されて、一側電極１１には、他側電極１２と重なり合わない非対向面（上記の領域ＡＲ１の部位）と、他側電極１２と重なり合う対向面（上記の領域ＡＲ２の部位）とがそれぞれ確保されているが、この構成に限定されるものではない。例えば、コンデンサは、他側電極１２と重なり合う対向面（領域ＡＲ２の部位）が一側電極１１に確保されていない構成であっていもよい。以下では、このコンデンサと、このコンデンサに対応する抵抗部材とについて、模式的に表した図１１を参照して説明する。なお、一例として、コンデンサ３Ａ，３Ｂ，３Ｃ，３Ｄのうちのコンデンサ３Ａの基本構成に、この構成（一側電極１１に領域ＡＲ２の部位が確保されていない構成）を適用したコンデンサ３Ｅについて説明する。したがって、コンデンサ３Ａと同一の構成については同一の符号を付して重複する説明を省略する。なお、コンデンサ３Ｂ，３Ｃ，３Ｄの基本構成にこの構成（一側電極１１に領域ＡＲ２の部位が確保されていない構成）を適用してもよいのは勿論である。また、抵抗部材についても、コンデンサ３Ａに対応する抵抗部材４と同一の構成については同一の符号を付して重複する説明を省略する。
【００８２】
このコンデンサ３Ｅでは、一側電極１１と他側電極１２とが重ならない構成（一側電極１１に他側電極１２と重なり合う対向面（上記の領域ＡＲ２の部位）が確保されていない構成）であることから、コンデンサ３Ａでの領域ＡＲ２は存在していない。つまり、第１電極形成部（第１側板部１１ａ，１１ｂ）と第２電極形成部（第２側板部１２ａ，１２ｂ）との間の境界線は存在していない。本例では、説明のため、第１電極形成部（第１側板部１１ａ，１１ｂ）における第２電極形成部（第２側板部１２ａ，１２ｂ）側の先端位置を符号Ｌ１１で表し、第２電極形成部（第２側板部１２ａ，１２ｂ）における第１電極形成部（第１側板部１１ａ，１１ｂ）側の先端位置を符号Ｌ１２で表すものとする。
【００８３】
また、このコンデンサ３Ｅでは、一側電極１１および他側電極１２のそれぞれの実装位置が矢印Ｂ１，Ｂ２（図１１参照）で示すように抵抗部材４の長さ方向Ａに沿ってわずかにずれた場合に、各先端位置Ｌ１１，Ｌ１２が位置し得る領域をそれぞれ符号ＡＲ０で表すものとする。また、各領域ＡＲ０は重ならないことから、各領域ＡＲ０間には、隙間ＡＲｇが確保されている。また、図１１に示すコンデンサ３Ｅでは、コンデンサ３Ａの構成に倣って、第２側板部１２ａ，１２ｂ間の距離が、第１側板部１１ａ，１１ｂ間の距離よりも長く規定されているが、図示はしないが、第１側板部１１ａ，１１ｂ間の距離と同じであってもよいし、第１側板部１１ａ，１１ｂ間の距離よりも短く規定されていてもよい。
【００８４】
このコンデンサ３Ｅに対応する抵抗部材４は、図３に示すように、第１電極形成部（第１側板部１１ａ，１１ｂ）および第２電極形成部（第２側板部１２ａ，１２ｂ）に一対一で対応する第１抵抗体２２および第２抵抗体２３が長さ方向Ａに沿って分離して配設され、かつ配線２６を介して直列接続されて構成されている。本例では、上記したように一側電極１１および他側電極１２は重ならないことから、基体２１における第１電極形成部（第１側板部１１ａ，１１ｂ）と直接対向する部位（領域ＡＲ１１）全体が、対応する第１電極形成部とのみ直接対向する部位となり、また基体２１における第２電極形成部（第２側板部１２ａ，１２ｂ）と直接対向する部位（領域ＡＲ１２）全体が、対応する第２電極形成部とのみ直接対向する部位となる。
【００８５】
このため、抵抗部材４は、第１抵抗体２２がこの領域ＡＲ１１内のいずれかの部位に配設され、かつ第２抵抗体２３がこの領域ＡＲ１２内のいずれかの部位に配設されて、図１１に示すように、第１抵抗体２２が対応する第１電極形成部（第１側板部１１ａ，１１ｂ）とのみ直接対向して位置し、かつ第２抵抗体２３が対応する第２電極形成部（第２側板部１２ａ，１２ｂ）とのみ直接対向して位置するように実装されている。
【００８６】
これにより、この図１１に示すコンデンサ３Ｅおよび抵抗部材４の実装構造においても、上記したコンデンサ３Ａおよび抵抗部材４の実装構造と同等の効果を奏することができる。
【００８７】
なお、このコンデンサ３Ｅでは、各先端位置Ｌ１１，Ｌ１２が位置し得る各領域ＡＲ０間に隙間ＡＲｇが確保される構成のため、基体２１におけるこの隙間ＡＲｇに対応する部位に、不図示の抵抗体（第１抵抗体２２および第２抵抗体２３以外の抵抗体であって、各抵抗体２２，２３と共に直列接続される抵抗体）を配置する構成を採用することもできる。この抵抗体は、第１電極形成部（第１側板部１１ａ，１１ｂ）および第２電極形成部（第２側板部１２ａ，１２ｂ）のいずれとも直接対向しない部位に配設された抵抗体であることから、一側電極１１および他側電極１２の各実装位置が長さ方向Ａに沿って矢印Ｂ１，Ｂ２で示すようにずれたとしても、コンデンサ３Ｅおよび抵抗部材４の並列回路で構成される電圧入力部の電気的特性（例えば周波数特性）は殆ど変化しない。したがって、抵抗部材４における隙間ＡＲｇに対応する部位に抵抗体をさらに配置する構成においても、上記したコンデンサ３Ａおよび抵抗部材４の実装構造と同等の効果を奏することができる。
【００８８】
また、上記の各コンデンサおよび抵抗の実装構造は、回路基板への実装に際してだけではなく、回路基板以外の部位への実装に対しても適用することができるのは勿論である。
【００８９】
次に、上記の各コンデンサおよび抵抗の実装構造を備えた入力ユニット、およびこの入力ユニットを備えた測定装置について、図１３を参照して説明する。
【００９０】
測定装置としての測定装置１００は、１または２以上の入力ユニット１０１、および測定装置本体１０２を備えて構成されている。以下では、一例として、抵抗体などの測定対象体（不図示）に流れる電流の電流値に応じて電圧値が変化する入力電圧Ｖｉｎ１（例えば、この電流を検出する電流検出プローブからの電圧信号）が入力される入力ユニット１０１ａと、この電流が流れることによって測定対象体に発生する電圧の電圧値に応じて電圧値が変化する入力信号Ｖｉｎ２（例えば、この電圧を検出する電圧検出プローブからの電圧信号）が入力される入力ユニット１０１ｂの２つの入力ユニット１０１（入力ユニット１０１ａ，１０１ｂを区別しないときには、このように「入力ユニット１０１」ともいう）を備えて、測定対象体についての被測定量としての電力、電流および電圧を測定する測定装置１００を例に挙げて説明する。
【００９１】
入力ユニット１０１ａ，１０１ｂは、図１３に示すように、図１に示す電子回路１、入力部１１０、出力部１１１および筐体１１２をそれぞれ備えて同一に構成されると共に、別体に構成されている。筐体１１２は、一例としてケース状に構成されて、その内部に電子回路１が収容されると共に、その壁面に入力部１１０と出力部１１１とが配置されている。なお、筐体１１２は、ケース状の構成に限定されるものではなく、電子回路１、入力部１１０および出力部１１１が露出する状態で取り付けられて、これらを一体的に支持するシャーシ（支持枠）として構成されていてもよい。
【００９２】
この電子回路１は、一例として、演算増幅器２と、この演算増幅器２の入力部として上記の各コンデンサおよび抵抗の実装構造のうちのいずれかの実装構造で実装されたコンデンサ３Ａ（３Ｂ，３Ｃ，３Ｄ）と抵抗部材４の並列回路で構成される電圧入力部６とを備えている。入力部１１０は、例えばコネクタで構成されて、入力ユニット１０１の外部から入力される入力電圧Ｖｉｎを、電子回路１の電圧入力部６に出力する。出力部１１１は、例えばコネクタで構成されて、電子回路１の演算増幅器２から出力される出力電圧Ｖｏを入力ユニット１０１の外部へ出力する。
【００９３】
この構成により、入力ユニット１０１（入力ユニット１０１ａ，１０１ｂ）に入力された入力電圧Ｖｉｎ（入力電圧Ｖｉｎ１，Ｖｉｎ２）は、コンデンサ３Ａ（３Ｂ，３Ｃ，３Ｄ）および抵抗部材４の並列回路で構成される電圧入力部６の電気的特性で規定される電気的特性の電子回路１で処理されて（例えば、この電気的特性が周波数特性であるときには、フィルタリング処理されて）、出力電圧Ｖｏ（出力電圧Ｖｏ１，Ｖｏ２）として出力される。
【００９４】
なお、入力ユニット１０１は、演算増幅器２を備える構成に限定されるものではない。例えば、図示はしないが、演算増幅器２に代えてアッテネータを備える構成を採用することもできる。また、入力ユニット１０１は、アナログ信号としての出力電圧Ｖｏを出力する構成に限定されるものではない。例えば、図示はしないが、演算増幅器２やアッテネータに加えて、その後段にＡ／Ｄ変換器を配置して出力電圧Ｖｏをサンプリングすることにより、出力電圧Ｖｏをデジタル信号（その瞬時値を示す波形データ）に変換して出力する構成を採用することもできる。
【００９５】
測定装置本体１０２は、一例として図１３に示すように、入力部１２０、測定部１２１、操作部１２２、表示部１２３、制御部１２４、およびこれらの構成要素を収容する筐体１２５を備えて、各入力ユニット１０１と別体に形成されると共に、入力電圧Ｖｉｎを、測定装置本体１０２に接続された入力ユニット１０１を介して出力電圧Ｖｏとして入力して、上記の被測定量を測定可能に構成されている。
【００９６】
入力部１２０は、例えばコネクタで構成されて、各入力ユニット１０１の出力部１１１に接続される。なお、入力部１２０と各出力部１１１との接続に際しては、接続ケーブルを使用して接続する構成を採用することができる。また、この構成に代えて、測定装置本体１０２の筐体１２５内に各入力ユニット１０１を装着するためのラックを配置すると共に、装着された各入力ユニット１０１の出力部１１１に接続されるコネクタをラックにおける各入力ユニット１０１の装着位置に配置し、かつ配線材や、ラックに配置されたバックボード基板（その配線パターン）を介してこれらのコネクタを入力部１２０に接続する構成を採用することもできる。入力部１２０は、入力ユニット１０１ａ，１０１ｂから出力される出力電圧Ｖｏ１，Ｖｏ２を入力して、測定部１２１に出力する。
【００９７】
測定部１２１は、制御部１２４の制御に従い、出力電圧Ｖｏ１，Ｖｏ２を入力すると共に、出力電圧Ｖｏ１，Ｖｏ２に基づいて上記の被測定量を測定し、測定した被測定量を制御部１２４に出力する処理を実行する。操作部１２２は、各種のスイッチやキーを備えて構成され、これらのスイッチやキーが操作されたときに操作信号を出力する。表示部１２３は、制御部１２４の制御に従い、測定部１２１によって測定された被測定量などの各種の情報を表示する。制御部１２４は、操作部１２２から出力される操作信号に従い、測定装置本体１０２の各構成要素を制御する。
【００９８】
以上の構成を備えた測定装置１００では、入力ユニット１０１ａ，１０１ｂが、入力された入力電圧Ｖｉｎ１，Ｖｉｎ２に対する処理を実行して、出力電圧Ｖｏ１，Ｖｏ２として測定装置本体１０２に出力する。また、測定装置本体１０２が、入力ユニット１０１ａ，１０１ｂを介して入力電圧Ｖｉｎ１，Ｖｉｎ２を出力電圧Ｖｏ１，Ｖｏ２として入力すると共に、出力電圧Ｖｏ１，Ｖｏ２に基づいて、被測定量を測定する。
【００９９】
したがって、この入力ユニット１０１ａ，１０１ｂによれば、それぞれの電子回路１における電圧入力部６が、上記の各コンデンサおよび抵抗の実装構造のうちのいずれかの実装構造で実装されたコンデンサ３Ａ（３Ｂ，３Ｃ，３Ｄ）と抵抗部材４の並列回路で構成されているため、上記の実装位置がずれたことの影響が、この並列回路を含む電子回路の電気的特性に及ぶのを最小限に抑制することができる。これにより、この入力ユニット１０１ａ，１０１ｂによれば、入力電圧Ｖｉｎ１，Ｖｉｎ２に対する処理をばらつき（電気的特性のばらつき）の少ない状態で実行して、出力電圧Ｖｏ１，Ｖｏ２として出力することができる。また、この入力ユニット１０１ａ，１０１ｂを備えた測定装置１００によれば、このようにしてばらつきの少ない状態で処理された出力電圧Ｖｏ１，Ｖｏ２に基づいて、被測定量をばらつきの少ない状態で測定することができる。
【０１００】
なお、上記の測定装置１００では、操作部１２２および表示部１２３を備えた測定装置本体１０２を有する構成を採用しているが、この構成に限定されるものではない。例えば、制御部１２４が、予め規定された一連の制御を測定装置本体１０２の各構成要素に対して実行する構成のときには、操作部１２２から制御部１２４への操作信号の出力は不要となるため、操作部１２２を省くこともできる。また、測定装置本体１０２に表示部１２３を設ける構成に代えて、測定装置本体１０２の外部に表示部に相当する表示装置を配置して、制御部１２４が測定した被測定量をこの表示装置に送信して表示させる構成を採用することもできる。
【０１０１】
また、測定装置１００は、上記の例では、被測定量として電圧、電流および電力を測定しているが、これらのすべてを測定する構成に限定されるものではなく、これらのうちの任意の１つまたは２つを測定する構成であってもよい。また、測定装置１００が測定する被測定量は、電圧、電流および電力に限定されるものではなく、出力電圧Ｖｏ１，Ｖｏ２に基づいて算出し得る電圧と電流との間の位相差や、測定対象体の抵抗とすることもできる。また、入力ユニット１０１に電流や電圧を示す電圧信号を入力電圧Ｖｉｎとして入力する構成について説明したが、温度、湿度、歪み、輝度、照度等の各種の物理量を検出する検出器から出力される電圧信号を入力電圧Ｖｉｎとして入力ユニット１０１に入力するように構成することもできる。この場合、測定装置１００は、被測定量として、温度、湿度、歪み、輝度、照度等の各種の物理量を測定する。また、原子量、分子量、化学式量等の各種の化学量を被測定量として測定する測定装置、並びに被測定量の測定機能を有していない電子機器（表示装置や記録装置）に適用することができる。これらの場合においても、上記した各効果を実現することができる。
【符号の説明】
【０１０２】
３Ａ，３Ｂ，３Ｃ，３Ｄ，３Ｅ  コンデンサ
４  抵抗部材
５  回路基板
１１  一側電極（第１電極）
１１ａ，１１ｂ  第１側板部（第１電極形成部）
１２  他側電極（第２電極）
１２ａ，１２ｂ  第２側板部（第２電極形成部）
２２  第１抵抗体
２３  第２抵抗体
Ａ  長さ方向
ＴＥ１  一方の端子
ＴＥ２  他方の端子
【図１】
2020101518.tif 000003
【図２】
2020101518.tif 000004
【図３】
2020101518.tif 000005
【図４】
2020101518.tif 000006
【図５】
2020101518.tif 000007
【図６】
2020101518.tif 000008
【図７】
2020101518.tif 000009
【図８】
2020101518.tif 000010
【図９】
2020101518.tif 000011
【図１０】
2020101518.tif 000012
【図１１】
2020101518.tif 000013
【図１２】
2020101518.tif 000014
【図１３】
2020101518.tif 000015